【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
微生物の効果的な殺菌のためのガス清浄化システムであって、ガス流清浄機に少なくとも一つの光学接続部によって接続されたハウジング内に配置された少なくとも一つのＵＶ光源であって、ガス流清浄機から分離されておりかつ合焦された制御可能な光出力をガス流清浄機に提供するように配置されている少なくとも一つのＵＶ光源と、少なくとも一つのＵＶ光源を制御するための制御機構とを含み、それによってガス流清浄機を通過するガス流中の微生物の効果的な殺菌のための少なくとも一つのＵＶ光源から離れかつガス流清浄機内の少なくとも一つのＵＶ線量ゾーンを生成して成るガス清浄化システム。
【請求項２】
前記光源が、少なくとも一つのランプと、少なくとも一つの光学素子と、ハウジングと、電源装置とを含む光ポンプである、請求項１に記載のガス清浄化システム。
【請求項３】
前記光源が少なくとも一つのランプである、請求項１に記載のガス清浄化システム。
【請求項４】
前記ランプがＵＶランプである、請求項３に記載のガス清浄化システム。
【請求項５】
前記ＵＶランプが高圧ランプである、請求項４に記載のガス清浄化システム。
【請求項６】
前記ＵＶランプがスペクトル校正ランプである、請求項４に記載のガス清浄化システム。
【請求項７】
前記ＵＶランプが無電極ランプである、請求項４に記載のガス清浄化システム。
【請求項８】
前記ＵＶランプが水銀ハライドランプである、請求項４に記載のガス清浄化システム。
【請求項９】
前記ＵＶランプがＵＶＶおよびＵＶＣ波長の光を放出する、請求項４に記載のガス清浄化システム。
【請求項１０】
前記光源が、合焦した制御可能な光出力をガス清浄機に提供するように配置された少なくとも一つの光源用光学部品を含む、請求項４に記載のガス清浄化システム。
【請求項１１】
前記光源用光学部品がＵＶ透過性である、請求項１０に記載のガス清浄化システム。
【請求項１２】
前記光源用光学部品がＵＶ反射性である、請求項１０に記載のガス清浄化システム。
【請求項１３】
前記少なくとも一つの光源用光学部品が、反射器及び／又はレンズである、請求項１０に記載のガス清浄化システム。
【請求項１４】
前記少なくとも一つの光学接続部が光ファイバ伝送線である、請求項１に記載のガス清浄化システム。
【請求項１５】
前記光ファイバ伝送線が前記光源および前記ガス清浄機に着脱自在に接続可能である、請求項１４に記載のガス清浄化システム。
【請求項１６】
前記光ファイバ伝送線が、アクリル線、ガラス線、液体コア線、石英線、中空コア線、コアシース線、誘電性同軸線、およびそれらの組合せを含む光ファイバ伝送線のグループから選択される、請求項１４に記載のガス清浄化システム。
【請求項１７】
前記ガス清浄機が線量ゾーンおよびガス清浄機ハウジングを含む、請求項１に記載のガス清浄化システム。
【請求項１８】
前記ガス清浄機ハウジングがＵＶ反射性である、請求項１７に記載のガス清浄化システム。
【請求項１９】
前記線量ゾーンが、光ファイバ伝送線に着脱自在に接続するための入口を含む、請求項１７に記載のガス清浄化システム。
【請求項２０】
入口開口とガス清浄機の内部との間に配置された少なくとも一つの入口光学部品をさらに含む、請求項１９に記載のガス清浄化システム。
【請求項２１】
前記少なくとも一つの入口光学部品がＵＶ透過性である、請求項２０に記載のガス清浄化システム。
【請求項２２】
前記少なくとも一つの入口光学部品がＵＶ反射性である、請求項２０に記載のガス清浄化システム。
【請求項２３】
前記少なくとも一つの入口光学部品が、反射器及び／又はレンズである、請求項２０に記載のガス清浄化システム。
【請求項２４】
前記線量ゾーンが増強された二次元設計を使用してガス清浄化を改善する、請求項１７に記載のガス清浄化システム。
【請求項２５】
前記線量ゾーンが増強された三次元設計を使用してガス清浄化を改善する、請求項１７に記載のガス清浄化システム。
【請求項２６】
前記線量ゾーンが送達装置を含む、請求項１７に記載のガス清浄化システム。
【請求項２７】
前記送達装置が、側面発光ファイバ伝送線、端面発光ファイバ伝送線、およびそれらの組合せから成るグループから選択された少なくとも一つの発光器を含む、請求項２６に記載のガス清浄化システム。
【請求項２８】
前記送達装置が少なくとも一つの微粒子捕集器をさらに含む、請求項２６に記載のガス清浄化システム。
【請求項２９】
前記少なくとも一つの微粒子捕集器がファイバフィルタである、請求項２８に記載のガス清浄化システム。
【請求項３０】
前記ファイバフィルタが、ガラスファイバ、アクリルファイバ、石英ファイバ、紙ファイバ、セルロースファイバ、綿ファイバ、プラスチックファイバ、およびそれらの組合せから成るグループから選択されるファイバから構成される、請求項２９に記載のガス清浄化システム。
【請求項３１】
前記ファイバフィルタが、多層構造を含め、不織、織成、および編成方法から成るグループから選択された方法で製造される、請求項２９に記載のガス清浄化システム。
【請求項３２】
前記ファイバフィルタが使い捨てである、請求項２９に記載のガス清浄化システム。
【請求項３３】
前記送達装置が直列の少なくとも二つの微粒子捕集器をさらに含む、請求項２６に記載のガス清浄化システム。
【請求項３４】
前記送達装置が触媒表面を含む、請求項２６に記載のガス清浄化システム。
【請求項３５】
前記触媒表面が自浄式である、請求項３４に記載のガス清浄化システム。
【請求項３６】
前記触媒表面が少なくとも一つの光触媒を含む光触媒表面である、請求項３４に記載のガス清浄化システム。
【請求項３７】
前記少なくとも一つの光触媒が光活性誘電性半導体である、請求項３６に記載のガス清浄化システム。
【請求項３８】
前記少なくとも一つの光触媒がＴｉＯ２、ＷＯ２、ＺｎＯ、ＺｎＳ、ＳｎＯ２、ＰｔＴｉＯ２、およびこれらの組合せから成るグループから選択される、請求項３６に記載のガス清浄化システム。
【請求項３９】
前記ガス清浄機の少なくとも一つの内部表面がＵＶ反射性表面である、請求項１に記載のガス清浄化システム。
【請求項４０】
前記少なくとも一つのＵＶ反射性表面がステンレス鋼、アルミ二ウム、およびそれらの組合せから成るグループから選択される、請求項３９に記載のガス清浄化システム。
【請求項４１】
前記ガス清浄機の内部が、内部表面に取り付けられた少なくとも一つの内部光学部品を含む、請求項１に記載のガス清浄化システム。
【請求項４２】
前記少なくとも一つの内部光学部品がＵＶ透過性である、請求項４１に記載のガス清浄化システム。
【請求項４３】
前記少なくとも一つの内部光学部品がＵＶ反射性である、請求項４１に記載のガス清浄化システム。
【請求項４４】
前記少なくとも一つの内部光学部品が、反射器及び／又はレンズである、請求項４１に記載のガス清浄化システム。
【請求項４５】
ガス流に対向するＵＶ照射をさらに提供する、請求項２６に記載のガス清浄化システム。
【請求項４６】
前記送達装置がガス流から保護される、請求項４５に記載のガス清浄化システム。
【請求項４７】
前記保護がシールドである、請求項４５に記載のガス清浄化システム。
【請求項４８】
前記送達装置がガス流外にある、請求項４５に記載のガス清浄化システム。
【請求項４９】
前記送達装置がブラインドダクト構成であり、そこではガスはＵＶ放出光学装置から９０度でダクトに導かれ、それは光学装置の周囲のガス循環を低減するように設計されたブラインドダクトに埋め込まれている請求項４８に記載のガス清浄化システム。
【請求項５０】
ガス中の微生物を効果的に殺菌するためのガス清浄機であって、前記ガス清浄機は線量ゾーンとハウジングとを含み、それによってガス中の微生物を効果的に殺菌するための少なくとも一つの線量領域を生成して成るガス清浄機。
【請求項５１】
前記ハウジングがＵＶ反射性である、請求項５０に記載のガス清浄機。
【請求項５２】
前記ハウジングが、光ファイバ伝送線に着脱自在に接続するために前記線量ゾーンに近接する入口を含む、請求項５０に記載のガス清浄機。
【請求項５３】
前記入口と前記ガス清浄機の内部との間に配置された少なくとも一つの入口光学部品をさらに含む、請求項５２に記載のガス清浄機。
【請求項５４】
前記少なくとも一つの入口光学部品がＵＶ透過性である、請求項５３に記載のガス清浄機。
【請求項５５】
前記少なくとも一つの入口光学部品がＵＶ反射性である、請求項５３に記載のガス清浄機。
【請求項５６】
前記少なくとも一つの入口光学部品が、反射器及び／又はレンズである、請求項５３に記載のガス清浄機。
【請求項５７】
前記ガス清浄機が増強された二次元設計を使用してガス清浄化を改善する、請求項５０に記載のガス清浄機。
【請求項５８】
前記ガス清浄機が増強された三次元設計を使用してガス清浄化を改善する、請求項５０に記載のガス清浄機。
【請求項５９】
前記線量ゾーンが送達装置をさらに含む、請求項５０に記載のガス清浄機。
【請求項６０】
前記送達装置が、側面発光ファイバ伝送線、端面発光ファイバ伝送線、およびそれらの組合せから成るグループから選択された少なくとも一つの発光器を含む、請求項５９に記載のガス清浄機。
【請求項６１】
前記送達装置が少なくとも一つの微粒子捕集器をさらに含む、請求項５９に記載のガス清浄機。
【請求項６２】
前記少なくとも一つの微粒子捕集器がファイバフィルタである、請求項６１に記載のガス清浄機。
【請求項６３】
前記ファイバフィルタが、ガラスファイバ、アクリルファイバ、石英ファイバ、紙ファイバ、セルロースファイバ、綿ファイバ、プラスチックファイバ、およびそれらの組合せから成るグループから選択されるファイバから構成される、請求項６２に記載のガス清浄機。
【請求項６４】
前記ファイバフィルタが、多層構造を含め、不織、織成、および編成方法から成るグループから選択された方法で製造される、請求項６２に記載のガス清浄機。
【請求項６５】
前記ファイバフィルタが使い捨てである、請求項６２に記載のガス清浄機。
【請求項６６】
前記送達装置が直列の少なくとも二つの微粒子捕集器をさらに含む、請求項６１に記載のガス清浄機。
【請求項６７】
前記送達装置が触媒表面を含む、請求項５９に記載のガス清浄機。
【請求項６８】
前記触媒表面が自浄式である、請求項６７に記載のガス清浄機。
【請求項６９】
前記触媒表面が少なくとも一つの光触媒を含む光触媒表面である、請求項６７に記載のガス清浄機。
【請求項７０】
前記少なくとも一つの光触媒が光活性誘電性半導体である、請求項６９に記載のガス清浄機。
【請求項７１】
前記少なくとも一つの光触媒がＴｉＯ２、ＷＯ２、ＺｎＯ、ＺｎＳ、ＳｎＯ２、ＰｔＴｉＯ２、およびこれらの組合せから成るグループから選択される、請求項６９に記載のガス清浄機。
【請求項７２】
前記ガス清浄機の少なくとも一つの内部表面がＵＶ反射性表面である、請求項５９に記載のガス清浄機。
【請求項７３】
前記少なくとも一つのＵＶ反射性表面がステンレス鋼、アルミ二ウム、およびそれらの組合せから成るグループから選択される、請求項７２に記載のガス清浄機。
【請求項７４】
前記ガス清浄機の内部が、内部表面に取り付けられた少なくとも一つの内部光学部品を含む、請求項５９に記載のガス清浄機。
【請求項７５】
前記少なくとも一つの内部光学部品がＵＶ透過性である、請求項７４に記載のガス清浄機。
【請求項７６】
前記少なくとも一つの内部光学部品がＵＶ反射性である、請求項７４に記載のガス清浄機。
【請求項７７】
前記少なくとも一つの内部光学部品が、反射器及び／又はレンズである、請求項７４に記載のガス清浄機。
【請求項７８】
ガス流清浄機に少なくとも一つの光学接続部によって接続されるハウジング内に配置された少なくとも一つのＵＶ光源であって、ガス流清浄機から分離されておりかつ合焦された制御可能な光出力をガス流清浄機に提供するように配置されている少なくとも一つのＵＶ光源と、少なくとも一つのＵＶ光源を制御するための制御機構とを含むガス清浄機を提供するステップと、それによってガス中の微生物を効果的に殺菌するための少なくとも一つのＵＶ光源から遠くかつガス流清浄機内の少なくとも一つのＵＶ線量ゾーンを生成するステップと、前記ＵＶ光源を起動するステップと、前記ガス清浄機にガスを通過させ、それによって殺菌されたガス流を提供するステップとを含む、ガスを清浄化するための方法。
【請求項７９】
清浄化されるガスが喫煙または燃焼副生物である請求項１に記載のガス清浄化システム。
【請求項８０】
清浄化されるガスが喫煙または燃焼副生物である請求項５０に記載のガス清浄機。
【請求項８１】
清浄化されるガスが喫煙または燃焼副生物である請求項７８に記載のガスを清浄化するための方法。